(57)【要約】      （修正有）【課題】燃料ガスが燃焼して発生する燃焼熱により空気を膨張させ、発生した圧力で揚水し、余剰エネルギーを電力として回収し、海水を濾過して淡水化する。【解決手段】気密空間の圧力容器８の上部を燃焼室５０、下部を下池２とし、燃焼室５０内において水素ガス燃料を燃焼し、バイアス空気圧を増大し、下池２の水を水排出口６０に押上げ、バイアス空気と混合し、水密度を低下させた空気と水の混合流体を上部に設けた変圧室１５に放出することにより揚水し、混合流体放出口に配設したタービン駆動発電機４４で余剰エネルギーを電力に変換して回収し、揚水出力９９による変圧室１５の圧力上昇を利用して揚水した水を上層に配設する揚水装置１００の下池２に供給し、下池２に水を供給する水路に、除去目的物質の種別と大きさにより階級分けした濾過器を配設することにより、水源の水質と異なる目的に適合する水質特性に改質処理した水を揚水する。【選択図】図１
2010059948.tif 000002
【特許請求の範囲】
【請求項１】
上下開放状態の円筒形状の側壁を備えた小外径の圧力容器８と大内径の外部保護円筒３を含み、圧力容器８を外部保護円筒３の内部に偏心状態に挿入し、開放両端に円板形上部蓋５と円板形下部蓋４を気密に溶接結合し、偏心二重壁構造容器１５４とし、圧力容器８は、上部に燃焼室５０、下部に下池２を形成し、圧力容器８の外周と外部保護円筒３の側壁内面が区画する空間は、上部に変圧室１５を、下部に上池１を形成し、円板形上部蓋５に設けた傾斜壁開口部４０に円錐形状の外側仕切壁１０の外周を気密溶接し、外側仕切壁１０の上部小口径開口部６３にタービン駆動発電機４４を配設し、偏心二重壁構造容器１５４を二個積層する場合、上層に積層する偏心二重壁構造容器１５４を角度１８０°水平方向に回転させ、下層に配設する偏心二重壁構造容器１５４の上部に適合させると、下層に配設する偏心二重壁構造容器１５４の外側仕切壁１０の上部は、角度１８０°水平に回転させた上層に積層する偏心二重壁構造容器１５４の円板形下部蓋４に設けた放圧開口部７から変圧室１５の上部に突出し、上部に配設するタービン駆動発電機４４は、上部に積層する偏心二重壁構造容器１５４の上池１の水面よりも高い位置から変圧室１５内に揚水出力９９を放出可能とし、変圧室１５の外気流出入口５１に設けた防塵窓６５は、常時変圧室１５の内部を大気圧に維持し、下層の偏心二重壁構造容器１５４に配設する下池２の水を上部に積層する偏心二重壁構造容器１５４の上池１に揚水し、上部に積層する偏心二重壁構造容器１５４の円板形下部蓋４の表面に円錐形状の内側仕切壁９の大口径底部を溶接し、内側仕切壁９と圧力容器８の下端に設けた開口部に水流入口開閉弁４３を配設し、水流入口開閉弁４３を開放し、下層から変圧室１５の上部に突出すタービン駆動発電機４４が送出する揚水出力９９により、上部に積層する偏心二重壁構造容器１５４の上池１の水面８５を加圧すると、上池１の水面８５に加わる圧力は、上池１と同一高さ位置にある下池２の水面７３に加わる圧力よりも大きくなり、上池１と下池２の水面に加わる圧力差により、上池１の水は、水流入口開閉弁４３から内側仕切壁９の内部空間に設けた貯水槽５９に流入し、内側仕切壁９の頂部開口部６２から外側仕切壁１０と内側仕切壁９の間の水路１３を流下し、下池２に貯水することを特徴とする揚水装置１００。
【請求項２】
圧力容器８を外部保護円筒３の内部に偏心状態に挿入し、開放両端に円板形上部蓋５と円板形下部蓋４を気密に溶接結合し、密閉構造の円筒形偏心二重壁構造容器１５４とし、外部保護円筒３の円筒の中心軸を垂直状態に維持し、多数の外部保護円筒３の中心軸を垂直方向に一致させ、同軸状態に縦配列し、縦配列する偏心二重壁構造容器１５４を交互に、水平方向に角度１８０°回転させると、円板形上部蓋５から上方向に突出す外側仕切壁１０の頂部は、上層に配設する円板形下部蓋４に設けた放圧開口部７内に挿入可能な位置に一致し、多数の偏心二重壁構造容器１５４を連続的に、縦続構造に、積層可能にすることを特徴とする請求項１に記載する揚水装置１００。
【請求項３】
円板形上部蓋５に固定する外側仕切壁１０の上部小口径開口部６３にタービン駆動発電機４４を配設し、水流入口開閉弁４３の水吐出口側にタービン駆動発電機１４４を配設し、内側仕切壁９の小口径頂部開口部６２にタービン駆動発電機２４４を配設することを特徴とする請求項１に記載する揚水装置１００。
【請求項４】
揚水装置１００と同一構造、同一寸法の揚水装置１０１を含み、揚水装置１００を水平方向に角度１８０°回転させ、下層の揚水装置１０１の円板形上部蓋５の上部にパッキング６４を積層し、パッキング６４の上部に揚水装置１００を積層し、揚水装置１０１の外側仕切壁１０の上部小口径開口部６３に設けたタービン駆動発電機４４を揚水装置１００の円板形下部蓋４に設けた放圧開口部７から変圧室１５内の、上池１の水面よりも高い位置に配設し、揚水装置１０１の円板形上部蓋５と揚水装置１００の円板形下部蓋４に設けた結合ボルト孔６１に結合ボルトを挿入し、ナットを締め付け、揚水装置１００と揚水装置１０１を結合し、積層状態に固定することを特徴とする請求項１に記載する揚水装置１００。
【請求項５】
空気を熱交換媒体とし、貯水槽５９に熱交換器５２を配設し、変圧室１５に熱交換器５３を配設し、燃焼室５０に熱交換器５４を配設し、熱交換器５３と熱交換器５４の間に外部熱と熱交換する外部設置熱交換器を接続することにより、燃焼室５０に供給するバイアス空気圧８６は、熱交換器５２，５３の周囲楳体温度において加熱、加圧され、外部設置熱交換器は、外部熱源の熱エネルギーを利用し、熱交換媒体としての空気を加熱・加圧し、燃焼室５０の熱交換器５４において高温・高圧の空気流となり、高温・高圧空気供給配管５６から燃焼室５０内に高温・高圧空気を送出し、燃料ガスの消費量を節減することを特徴とする請求項１に記載する揚水装置１００。
【請求項６】
揚水装置１０１の上部に揚水装置１００を積層し、下層の揚水装置１０１の外側仕切壁１０の上部小口径開口部６３が揚水装置１００の変圧室１５内に突出す積層揚水装置９９８において、揚水装置１０１と揚水装置１００の燃焼室５０内に空気と燃料水素ガスを交互に導入し、点火器により燃料水素ガスを交互に燃焼することにより、揚水装置１０１が燃焼状態のとき、休止状態の揚水装置１００の燃焼室５０内を低圧力に維持し、揚水装置１０１の燃焼により放出する揚水出力９９は、揚水装置１００の上池１の水面８５を加圧し、加圧された上池１の水は、燃焼休止中のため圧力が低い、同一高さ位置に配置する揚水装置１００の下池２内に移動することにより、順送方式に下層の揚水装置１０１の下池２の水を上層の揚水装置１００の上池１を経て、揚水装置１００の下池２に揚水する揚水方法。
【請求項７】
揚水装置１０１を燃焼状態のとき、休止状態の揚水装置１００の燃焼室５０内を低圧力に維持し、揚水装置１０１の燃焼により放出する揚水出力９９は、外側仕切壁１０の開口部６３に配設するタービン駆動発電機４４を回転駆動し、揚水出力９９の圧力により上池１の水が貯水槽５９内に流入するとき、水流入口開閉弁４３の水吐出口に配設するタービン発電機１４４を回転駆動し、低圧力の燃焼室５０の吸引力により内側仕切壁９の頂部の開口部６２から下池２に流入する水流は、頂部の開口部６２に配設するタービン駆動発電機２４４を回転駆動することにより、余剰エネルギーを電力として回収することを特徴とする請求項６に記載する下池２の水を上池１に揚水する揚水方法。
【請求項８】
縦続接続する多数の揚水装置１００のうち、最下端の揚水装置１８の底部３３３は、谷底水源９８の水中に配設し、最上端の揚水装置１９の上部３３４は、傾斜水路２０の表面より上に配設し、液化水素貯蔵槽２２に貯蔵する液化水素を燃料とし、液体空気貯蔵槽２１に貯蔵する液体空気を加圧源とし、熱交換器２４は、液化水素と液体空気の蒸発潜熱を利用し、純水電気分解槽２３が製造する水素ガスを液化し、液化水素貯蔵槽２２に貯蔵し、高圧ガス配管網２８は、揚水装置１００に低温の水素ガスと、低温・高圧の空気を供給し、制御器２９は、点火器の点火時期を制御して水素ガスを間欠的に燃焼させ、高圧空気の流通量を制御し、タービン発電機の運転特性を監視し、負荷制御など、指令信号を送信することを特徴とする揚水システム９９９。
【請求項９】
揚水装置１００の水流入口開閉弁４３が水を吸引する上池１に面する水吸入口に濾過器１０４を配設し、濾過器１０４を配設する位置における外部保護円筒３に、開閉可能な濾過器点検窓１０５を配設することを特徴とする請求項８に記載する揚水システム９９９。
【請求項１０】
最下端の揚水装置１１が谷底水源９８から水を取入れる水取入れ口に大きな開口部と小さな開口部を格子状に組合わせる粗大ゴミ除去器３３５を配設することを特徴とする請求項８に記載する揚水システム９９９。
【請求項１１】
最上端の揚水装置１９の水流入口開閉弁４３の水吸入口に配設する濾過器１０４は、塩分除去、微細ごみ除去、有害化学物質除去など、除去目的物質の性質に対応する濾過機能を備えたフィルタ及び有害物質を無害化する化学処理基材及び薬剤を内蔵し、飲料水に不適な除去目的物質を選択的に濾過し、飲料水に適する水を生産する機能を備えることを特徴とする請求項８に記載する揚水システム９９９。
【請求項１２】
最下端の揚水装置１１と最上端の揚水装置１９の間に配設する多数の揚水装置１００は、それぞれ大きな塵埃から小さな塵埃を段階的に除去する塵埃除去階級により区分するフィルタを配設することを特徴とする請求項８に記載する揚水システム９９９。
【請求項１３】
濾過器１０４を使用し、谷底水源９８の水質と異なる水質の水に変換し、山頂水源９７に貯水し、山頂水源９７に貯水した水質の異なる水を、圧力配管３３７に供給し、水力発電所３３８において発電し、利用する他の用途別水源３３６に供給し、灌漑用及び飲料水用に利用可能にすることを特徴とする請求項８に記載する揚水システム９９９。
【発明の詳細な説明】
【技術分野】
【０００１】  本発明は、燃料ガスの燃焼エネルギーと圧力伝達媒体としての空気圧を利用する揚水装置、その揚水方法及び揚水システムに関する。
【背景技術】
【０００２】  現在、揚水発電においては、電力を利用し、下池の水を上池に帰還している。【０００３】  サイホンの技術は、上池の水が有する位置エネルギーとｎ字形ホース内を移動する水がホース内に発生する負圧を利用し、高所の水を所定の高さまで一時的に引上げ、動力を利用せずに、高所の水の表面から水を吸出し、低位の所定場所に水を移動することができ、便利な方法として、広く利用されている。【０００４】  揚水ポンプ、ピストン及び揚水用発電機は、低所の水に運動エネルギーや圧力を加え、低所の水を高所に移動している。
【発明の開示】
【発明が解決しようとする課題】
【０００５】  解決しようとする問題点は、加圧する圧力伝達媒体としての空気中において燃料ガスを燃焼することにより発生する圧力を下池の水面に加え、上池に揚水する、熱エネルギー利用の揚水装置を提供することを課題とする。【０００６】  密閉した空間の上部に燃焼室を配設し、下部に設けた下池の底部は、Ｕ字形水路を経て上池の上部空間に連通する揚水装置の燃焼室内において、燃料ガスを燃焼し、燃料ガスが燃焼するときに発生する空気の熱膨張により、上部から下池の水面に過剰の動的圧力を加え、水に重力と動圧による初期加速力を与え、下池の水を低い位置に急速加速し、下池の水が低位置に移動するときに水の内部に蓄積する運動エネルギーを揚水エネルギーに変換し、下池の水をＵ字形水路に移動し、上池の上部において、高所に移動し終わった水が有する余剰の運動エネルギーを電力として回収する揚水装置を提供することを課題とする。【０００７】  下池から上池に汲み上げ、上池に貯水する水を下池とし、バケツリレー方式に順送りに、更に上層の上池に下池の水を汲上げ、水を手渡しするときに上池の上部に発生する揚水出力の廃圧力を、上池から同一階層に配設する下池にリレーする水供給エネルギーとして利用し、余剰の水供給エネルギーを電力として回収する揚水装置を提供することを課題とする。【０００８】  下池から上池に汲み上げ、上池に貯水する水を下池とし、バケツリレー方式に順送りに、更に上層の上池に下池の水を汲上げ、水を手渡しするときに発生する余剰のエネルギーを利用して、揚水する水中に含む、塩分、塵埃、微生物などを濾過し、飲料水や灌漑に適する水質に管理する水を上部に配設する貯水槽、貯水池に供給し貯水する揚水システムを提供することを課題とする。
【課題を解決するための手段】
【０００９】  本発明は、上部を密閉する燃焼室の下部に下池を配設し、下池の底部と上池の上部をＵ字形の水路により結合し、Ｕ字形の水路の上端において上池の水面の上部に開口する開口端部を設け、上部の開口端部にタービン羽根が駆動するタービン駆動発電機を配設し、下池の上部において燃料ガスを燃焼し、発生する圧力により下池の水が下降し、上池の水面の上部に開口する開口端部に移動する水を、上池の水面の上部から放出するとき、タービン駆動発電機は、放出する水の余剰エネルギーを電力に変換して回収することを特徴とする。【００１０】  この発明は、燃料ガスを燃焼し、下池の水が上方向に移動するＵ字形の水路に設けた水排出口内に円錐形状の内側仕切壁を配設し、この内側仕切壁の上部に設けた小径開口部は、下池の水面よりも高い位置に開口し、下池の水が内側仕切壁の底部に設けた貯水槽内に流入することを阻止し、上池の水面の上部から放出する揚水出力が上池の水面を加圧するとき、上池と内側仕切壁の大口径底部に設けた貯水槽を開閉可能に連通する水流入口開閉弁を開放すると、圧力差により上池の水は、内側仕切壁底部に設けた貯水槽内に流入し、更に下池の圧力が上池に加わる圧力よりも低いとき、貯水槽内の水は、サイホンの原理により、内側仕切壁の上部開口部から下池に流入することを特徴とする。【００１１】  この発明は、燃焼室内において、燃料ガスが燃焼し、下池の水面を加圧し、重力加速度と圧力を受け下降する水は、重力加速度の影響を受けることなく、Ｕ字形通路の上方向水路内にある同量の水を同量の高さに押上げ、開口端部までの不足分は、燃料ガスの燃焼圧力と空気圧を利用し、上池の上部に設けた開口部まで押し上げることを特徴とする。【００１２】  この発明は、燃焼室において、燃料ガスを燃焼することにより、バイアス圧力源として作用する空気の温度と圧力を高め、発生する空気圧は、Ｕ字形通路の上方向水路内において、水と空気を混合し、空気中に水流を分散させ、実質水分密度の低い高圧の上昇流体を発生することにより、上部に移動する空気・水混合流体の上昇力を減速する重力の影響を低減し、開口端部において有する混合流体の残エネルギーによりタービン駆動発電機を回転駆動し、電力として回収することを特徴とする。【００１３】  この発明は、下池から上池に汲み上げ、上池に貯水する水を下池とし、バケツリレー方式に順送する方式を採用しており、多数の揚水装置を高さ方向に積上げ、下層の揚水装置が燃料ガスを燃焼し、運転中のとき、上階層の揚水装置を休止状態とし、下層の揚水装置が揚水出力を放出すると、上階層の高さに配置する上池の水面を下層の揚水装置の放出圧力により加圧し、上池の水を内側仕切壁の底部に設けた貯水槽内に流入させ、休止中の上階層の燃焼室の圧力が低下する現象による圧力差により、内側仕切壁の上部に設けた開口部を経て、上池から貯水槽内に流入する水を下池内に供給し、上池と貯水槽の水供給路を開閉制御する水流入口開閉弁の上池に面する水吸入口側に、濾過器を設け、多段の揚水装置内に配設する多段直列構成の濾過器は、水中に含む塵埃、微生物及び塩分を順次濾過し、飲料水や灌漑に適する水質の水に浄化することを特徴とする。【００１４】  この発明は、下層の揚水装置が揚水出力を放出する上階層の揚水装置の変圧室の急激な圧力上昇により、揚水出力が低下することを防止するために、変圧室内に配設する熱交換器内に低温の冷却空気媒体を流通し、揚水出力中に含む水蒸気と高温の空気流は、低温の冷却空気媒体と熱交換し、水蒸気を復水し、高温の空気流を冷却することによりタービン駆動発電機の周辺空間を部分的に低圧にすることにより、揚水出力を維持し、熱交換器において熱エネルギーを受入れた低温の空気を加熱することにより、空気圧を上昇させ、燃焼室内に配設する熱交換器に入力する空気の圧力と温度を高めることにより、燃焼室内の空気圧力を高めるために消費する燃料ガスの消費量を節減することを特徴とする。【００１５】  この発明は、燃料ガスの燃焼により発生する揚水出力が回転駆動するタービン発電機の発電電力を、燃料ガスの燃焼を休止中の揚水装置に配設するタービン発電機と他の負荷に供給し、燃料ガスの燃焼を休止中の揚水装置に配設するタービン発電機は、受け入れた電力により送風機として回転し、外側仕切壁内の水排出口の空気を吸引し、下池の上部空間を減圧し、上池の水を貯水する貯水槽から水を吸引する吸引力を増大することを特徴とする。【００１６】  この発明は、上池から貯水槽を経て流入する水量により下池の水位が上昇すると、下池上部の燃焼室内に残留する空気を圧縮し、下池の上部空間の圧力が増大し、危険な状態が発生する前に、上池と貯水槽を連通する通路に設けた水流入口開閉弁を閉じ、下池の水面高さが急上昇することを防止し、安全に下池に上池の水を導入することができる揚水装置を提供することを特徴とする。【００１７】  この発明は、燃焼室内において、燃料ガスを燃焼し、燃焼熱により膨張する空気圧を利用し下池の水を上池に揚水し、燃焼休止時に、温度が低下する燃焼室の下部に配設する下池に上池の水を導入する構成とし、揚水出力により上池の水面に加わる圧力と、燃焼室内における燃焼を休止し、急速に冷却する空気の減圧による圧力差は、燃焼室内に水を吸引するエネルギーを提供し、水の流入により燃焼室容積が減少し、圧力が増加すると、燃焼室内に流入する水は、下池から水排出口の方向に流れを転換し、水排出口と燃焼室間において脈動を開始し、この水流方向転換に同期して、バイアス圧力空気を外部から燃焼室内に導入すると、バイアス圧力空気は、有効に下池の水を排出口に移動する水排出効果を高めることを特徴とする。【００１８】  この発明は、円筒形状の外部保護円筒の中心軸が高さ方向に一致する状態に多数の揚水装置を高さ方向に縦に配列し、外部保護円筒を交互に角度１８０°回転することにより、下位に配設する揚水装置の外側仕切壁の頂部開口部は、上位に配設する揚水装置の上池の上部に開口し、同一高さ位置に配設する上池と下池は、内側仕切壁の下部に設ける貯水槽に上池の水を導入する水流入口開閉弁の開閉を制御することにより、相互に接続し、上池から下池に水を供給可能にする構成とし、最下端の揚水装置が燃料ガスを燃焼し、谷底水源から休止中の上段の揚水装置の上池に水を供給すると、上池は、揚水出力の圧力を受け、同一階層の貯水槽を経て下池に水を供給し、休止中の揚水装置が燃料ガスを燃焼すると、下池の水��下から三段目の休止中の揚水装置に揚水し、順次これを繰り返すことにより、谷底水源から山頂水源に水を汲上げるシステムを構成することを特徴とする。【００１９】  この発明は、多数直列接続する揚水装置内の水流入口開閉弁の水吸入口側に濾過器を配設し、汚染した河川、湖沼又は海洋などの谷底水源から山頂水源にバケツリレー方式に順送りに水を手渡しするときに発生する余剰のエネルギーを利用して、揚水する水中に含む、塩分、塵埃、微生物などを段階的及び種別に濾過し、飲料水や灌漑に適する水質に管理する水を上部に配設する山頂水源に貯水し、飲料水や灌漑に適する水質に管理する水を他の谷底水源に移動して送出し、発電、灌漑及び飲料水用に利用可能にすることを特徴とする。
【発明の効果】
【００２０】  本発明の揚水装置は、水素を燃料として、間欠的に燃焼する燃焼熱を利用し、低所の水の表面に加圧力を加え、低所の水が下方に移動するエネルギーを利用し、高所に揚水する技術を提供するもので、低所の水が失う位置エネルギーを高所に移動する水に移転し、水素燃料の燃焼熱により膨張する空気の圧力を低所の水の表面に加え、衝撃圧力を増大し、低所の水の下方移動速度を加速し、高所に移動する水に与えた過剰な揚水エネルギーは、タービン駆動発電機を回転駆動し、電力として回収できる効果がある。【００２１】  本発明の揚水装置は、燃料ガスの燃焼休止期間中における発電機の速度低下を補償するために、一個の揚水系統に二個以上の揚水装置を設置することとし、一個の発電機の揚水装置が発電休止時に他の発電機から発電電力を受入れ、電動機としてタービン羽根を回転駆動する構成とし、休止中のタービン羽根は、送風機として機能し、送風機が揚水装置の上部から排出する空気流は、揚水装置の内部空間を減圧し、高位の吐出口の圧力を低下させ、内側仕切壁内を大気圧よりも減圧し、大気圧の上池の水を底部から内側仕切壁の貯水槽内に吸引し、貯水槽内の水が下池に移動しやすくする副次的な効果がある。【００２２】  本発明の揚水システムは、水バケツリレー方式に順送りに水を手渡しするときに発生する余剰のエネルギーを利用して、揚水する水中に含む、塩分、塵埃、微生物などを段階的及び種別に濾過し、飲料水や灌漑に適する水質に管理する水を上部に配設する山頂水源に貯水し、飲料水や灌漑に適する水質に管理する水を他の用途別水源に移動して送出し、発電、灌漑及び飲料水用に利用可能にする効果がある。
【発明を実施するための最良の形態】
【００２３】  図を参照し、本発明の実施の形態を説明する。
【実施例１】
【００２４】  図１は、本発明の揚水装置１００の基本機能構成図を示し、図２は、揚水装置１０１の燃焼室５０において、水素燃料燃焼時の動作説明図を示し、図３は、揚水装置１０１の水素燃焼終結時に燃焼室５０に帰還する帰還水頭９６の説明図を示す。【００２５】  図１と図３に等位線１０３を示すように、揚水装置１００，１０１は、高さ方向に縦続接続することを基本としており、上位に配設する揚水装置１００の底部に配設する変圧室９０１は、下位に配設する揚水装置１０１の変圧室９０１と同一とし、下位に配設する揚水装置１０１の上池１の水面８５は、高位に配設する揚水装置１００の水面８５と同一水位とする。【００２６】  図１を参照し、揚水装置１００の基本構成と機能を詳述すると、揚水装置１００は、上部が密閉した容器の上部に燃焼室５０を設け、燃焼室５０内に圧力作動媒体としての空気と、燃料ガスとしての水素を導入する。【００２７】  燃料ガスとして水素を使用すると、水素の燃焼は、水蒸気を発生し、大気汚染することなく作動空気を加熱し、高圧・高温のガスとし、又、冷却すると水に復帰し、燃焼室５０の空間を減圧し、サイホンの原理により、燃焼室５０内に水を吸引することを可能にする。【００２８】  燃焼室５０の下部に下池２を設け、下池２は、Ｕ字形の逆サイホン室７２に連通し、Ｕ字形の逆サイホン室７２は、燃焼室５０の下部と水排出口６０の下部を連通する。【００２９】  水排出口６０の容器を構成する外側仕切壁１０の下端内部に内側仕切壁９を設け、内側仕切壁９の上部に設けた開口部６２は、水排出口６０に開口し、内側仕切壁９の底部に設けた水流入口開閉弁４３は、内側仕切壁９の内部に設ける貯水槽５９の底部と、変圧室９００，９０１，９０２の底部にそれぞれ設ける上池１を開閉可能に結合する。【００３０】  揚水装置１００の水排出口６０の下部に設けた貯水槽５９の底部に水流入口開閉弁４３の水出力口が開口し、水流入口開閉弁４３の水入力口は、変圧室９０１の水面８５まで貯水する上池１の底部に開口し、開放すると、下位に配設する揚水装置１０１が汲上げた上池１の水を内側仕切壁９の底部に設けた貯水槽５９に供給し、定常の大気圧状態において、貯水槽５９の水位は、上池水位８５に一致する。【００３１】  変圧室９０１は、外気に連通する外気流出入口５１（図５参照）を密閉容器の上部に備え、常時、密閉容器の内部を大気圧とし、下位の揚水装置１０１が揚水し、水排出口６０から空気と水の混合流体状態の揚水出力９９を変圧室９０１内に排出すると、変圧室９０１の室内圧力が増加し、上池１の水面８５を加圧する。【００３２】  変圧室９０１の上池１を下池２の水源とする揚水装置１００は、燃焼休止状態とすることにより、水排出口６０の内部空間の圧力は、上池１の水面に加わる圧力よりも低く、圧力の高い上池１の水は、サイホンの原理により、貯水槽５９の水を内側仕切壁９の上部の開口部６２に押上げ、開口部６２から水排出口６０に流入し、逆サイホン室７２を経て下池２に流入する。【００３３】  下池２の水面７３が所定高さまで到達したとき、水流入口開閉弁４３を閉じ、水排出口６０に流入する水量を調整する。【００３４】  下池２に流入する水流は、高速であり、水流入口開��弁４３を閉じると、増加傾向の下池２の水位は、減少方向に変化する。【００３５】  下池２の水位が減少方向に転じたとき、燃焼室５０内に圧力作動空気を導入し、水素ガス燃料を注入すると同時に点火する。【００３６】  図２に示すように、燃焼室５０内において水素を燃焼すると、水素燃焼圧８７が下池２の水面に加わり、下池２に流下水流９２を発生する。【００３７】  流下水流９２は、重力加速度を受けて逆サイホン室７２内を通過し、水排出口６０内において上昇流となり、膨張・収縮を繰返す空気流と混合し、密度の低い上昇水流９３を発生する。【００３８】  高速流動する上昇水流９３は、上端に配設したタービン羽根８４に衝突してタービン羽根８４を回転駆動し、タービン駆動発電機４４は、電力を発生し、タービン羽根８４を通過する水と空気の混合流体は、揚水出力９９として変圧室９０１内に放射する。【００３９】  変圧室９０１内の圧力増加は、上池１の水面８５を加圧し、上位に配設する燃焼休止中の揚水装置の下池２に水を供給する。【００４０】  図３は、水素燃焼終結時に燃焼室５０に帰還する帰還水頭９６を示し、水素の燃焼熱の供給が停止すると、低温の水は、燃焼室５０内の高温ガスを急冷し、減圧した燃焼室５０内に水を吸引する。【００４１】  揚水装置１０１が水素燃焼を終結すると、同時に下位に配設する揚水装置１０２が水素を燃焼し、変圧室９０２に揚水出力９９を排出する。【００４２】  変圧室９０２の内圧が上昇し、上池１の水面８５を加圧する。【００４３】  水流入口開閉弁４３を開放し、圧力を増大した上池１の水を貯水槽５９内に送出する。【００４４】  貯水槽５９内に貯水する水は、底部から圧力を受け、内側仕切壁９の上部開口部６２から水素燃焼終結時に減圧する水排出口６０内に流入する。【００４５】  低温の貯水槽５９内の水は、逆サイホン室７２に流下して燃焼室５０の温度を低下させ、燃焼室５０内を更に減圧する。【００４６】  低温の貯水槽５９内の水の先端が燃焼室５０内に達すると、燃焼室５０内の残留空気が圧縮し、圧力を増加し、水を下池２の方向に押下げ、下方の下池２の方向に方向転換する帰還水頭９６を発生する。【００４７】  図４に燃焼室５０内に発生する圧力Ｐと時間ｔの関係特性を示すように、帰還水頭９６を発生するとき、燃焼室５０内の圧力Ｐは、負の圧力８８に移行し、水が有する運動エネルギーと位置エネルギーの交換による圧力振動波９０を発生し、脈動する。【００４８】  水の圧力振動波９０が反動正圧８９から負の圧力波に移行する時間９１に同期してバイアス空気圧８６を燃焼室５０に供給し、バイアス空気圧８６は、帰還水頭９６の頂部に圧力を加え、水排出口６０の方向に進行する水流を加速する。【００４９】  この状態において、水素ガスを燃焼室５０内に導入し、水素燃焼圧８７を発生すると、下池２の水は、水素燃焼圧８７の加速力を受け、水排出口６０から変圧室９０１内に揚水出力９９を放出する。【００５０】  外側仕切壁１０の上部開口部６３にタービン駆動発電機４４を、水流入口開閉弁４３の吐出口にタービン駆動発電機１４４を、内側仕切壁９の先端開口部６２にタービン駆動発電機２４４をそれぞれ配設し、燃料ガスが水に供給する揚水エネルギーの余剰分を発電電力として回収する。【００５１】  タービン羽根８４は、上昇水流９３のエネルギーを受け、タービン駆動発電機４４を回転駆動し、タービン駆動発電機４４は、発電した電力を電力負荷と他の休止中のタービン駆動発電機４４に供給する。【００５２】  他のタービン駆動発電機４４から電力供給を受けたタービン駆動発電機４４は、揚水装置１０１が水素燃焼を休止中においても電動機として同期運転を維持し、タービン羽根８４を送風機として回転駆動する。【００５３】  送風機として回転するタービン羽根８４は、水排出口６０を減圧し、内側仕切壁９の上部開口部６２から上池１の水を吸引するように機能する。【００５４】  変圧室９０１内の圧力増加と燃焼室５０の圧力低下により、逆サイホン室７２を経て下池２に蓄積する水量を多くすると、下池２の水深は、深くなり、エレベータの平衡おもりを重くしたときと同じ効果により、下池２の水面を押下げ、水排出口６０の水面を押し上げる水量と揚程を大きくすることができるが、燃焼室において発生する空気の動圧が小さいと、下池２と水排出口６０間において圧力振動波９０を発生するのみで、タービン羽根８４の位置まで届かず、揚水装置１００は、揚水機能を喪失する。【００５５】  揚水装置１００が十分な揚水機能を発揮するために、揚水に必要とする燃焼エネルギー以上のバイアス空気圧８６と、水素燃焼圧８７を下池２の水面に加え、下池２に貯水する全水量が水排出口６０内に移動したとき、空気と水の密度差により、燃焼室５０内の空気の全量が水排出口６０内に移動し、水排出口６０内において、水と空気の混合流体を発生し、高圧の上昇水流９３となり、上昇水流９３の余剰のエネルギーにより、タービン羽根８４を回転駆動するように水素燃料の燃焼エネルギーを供給し、揚水装置１００を運転する。
【実施例２】
【００５６】  本発明の実施例２は、図５に揚水装置１００を側面から見た断面構造図を示し、図６に上方向から見た平面図を示すように、揚水装置１００を製造するためのより詳細な実施の形態を説明するもので、揚水装置１００は、外部保護円筒３の内部に図１に示す変圧室９００と、燃焼室５０を区画し、偏心二重壁容器１５４を構成する。【００５７】  外部保護円筒３と圧力容器８は、所定長さの鋼板製の中空円筒とし、上部に円板形上部蓋５を溶接結合し、下部に円板形下部蓋４を溶接結合することにより、内部空間を気密構造とする。【００５８】  圧力容器８の内部空間の上部は、燃焼室５０を形成し、下部に下池２を形成する。【００５９】  圧力容器８の外周と、外部保護円筒３の内周が区画する三日月形断面形状の空間は、上部に変圧室１５を形成し、下部に上池１を形成する。【００６０】  圧力容器８の内周から少し離れた位置において、圧力容器８の円筒形状側壁に同心的に、円形の傾斜壁開口部４０を円板形上部蓋５に加工し、傾斜壁開口部４０内に円錐形状の外側仕切壁１０の小口径開口部６３を挿入し、外側仕切壁１０の周囲を円板形上部蓋５の裏面の溶接部において溶接し、円板形上部蓋５に外側仕切壁１０を気密に結合する。【００６１】  円板形上部蓋５に気密に結合する外側仕切壁１０の外面と、円板形上部蓋５の背面と、圧力容器８の内面が形成する三角形状断面の空間は、燃焼室５０を構成する。【００６２】  外部保護円筒３に設けた外気流出入口５１から圧力容器８の燃焼室５０内に点火器付き水素供給配管５５と高温・高圧空気供給配管５６を挿入し、水素供給調整弁５７、空気供給調整弁５８を開閉し、外部から燃焼室５０内に燃料の水素とバイアス圧力を供給する空気を導入可能とする。【００６３】  外側仕切壁１０の大口径開口端部の外周と圧力容器８の間に設けた間隙は、熱風吐出口４９を構成し、燃焼室５０内に導入した空気と、水素の燃焼ガスを熱風吐出方向矢印４８が示す方向に放出可能とする。【００６４】  円板形下部蓋４に円形開口部６と放圧開口部７を加工し、放圧開口部７は、下位に直列接続する揚水装置１０１の外側仕切壁１０の頂部を受入れ、外部保護円筒３の内面と圧力容器８の外周と、円板形下部蓋４と円板形上部蓋５に囲まれた空間を変圧室９００とし、下部を上池１とする。【００６５】  外部保護円筒３に設けた外気流出入口５１に防塵窓６５を配設し、防塵窓６５は、外気から塵埃を除去し、正常な空気を変圧室９００内に取入れ、定常状態において、変圧室１５内を大気圧に保持する。【００６６】  円板形下部蓋４に加工した円形開口部６の周囲溶接部４２に円錐形状の内側仕切壁９の拡大底部を気密に溶接する。【００６７】  内側仕切壁９と外側仕切壁１０は、同一寸法、同一形状の鋼板製円錐形状体とし、内側仕切壁９の頂部に設けた開口部６２は、外側仕切壁１０の内部空間に開口し、内側仕切壁９の内部空間を外側仕切壁１０の内部空間に設けた水排出口６０に連通する。【００６８】  外側仕切壁１０の内面と内側仕切壁９の外面の間に設けた間隙を水路１３とし、外側仕切壁１０と円板形下部蓋４の上面と圧力容器８の内面により区画するＶ字断面形状の下部空間を下池２とし、燃焼室５０の下部に設ける熱風吐出口４���を片側脚とし、他の脚を水路１３とするＶ字断面形状の空間は、逆サイホン室７２を形成し、熱風吐出口４９から送出する空気圧により下池２の水面７３を加圧すると、下池２の水は逆サイホン室７２を下方に移動する水流と、水路１３を上方向に流れる水流に分かれ、下方に移動する水流が失う位置エネルギーは、水路１３に流入する水流を押上げ、熱風吐出口４９から送出する空気流が水路１３内に流入すると、空気流は、水排出口６０において急膨張し、激しく水流と混合し、空気流と混合する低密度の混合流の揚水出力９９は、水を持ち上げるよりも少ないエネルギー損失において、外側仕切壁１０の開口部６３から変圧室１５内に放出する。【００６９】  外側仕切壁１０の頂部に設けた開口部６３にタービン駆動発電機４４を配設し、小口径開口部６３から変圧室１５内に放出する水と空気の混合流体が有する動力エネルギーによりタービン駆動発電機４４を駆動し、揚水出力９９が有する動力エネルギーを電力として回収する。
【実施例３】
【００７０】  本発明の実施例３は、図７に示すように、揚水装置１００を揚水装置１０１の上部に積層するとき、上部に積層する揚水装置１００を角度１８０°水平に回転させ、揚水装置１００と揚水装置１０１の間にパッキング６４を積層して、気密に結合する。【００７１】  下位に配置する揚水装置１０１の外側仕切壁１０の頂部開口部６３は、上位に配置する揚水装置１００の円板形下部蓋４に設けた放圧開口部７から変圧室９０１内に突出す構成とし、燃焼室５０において水素を燃焼すると、熱膨張により衝撃的な空気圧を下池２の表面に加え、下池２の水を逆サイホン室７２から水排出口６０内に駆動する。【００７２】  外側仕切壁１０と内側仕切壁９の間に形成する水路１３を上昇する水流は、断面積が拡大する水排出口６０において減速し、燃焼室５０が供給する高圧の空気流と混合し、水と空気の高速混合上昇水流９３（図２参照）を発生し、タービン駆動発電機４４を回転駆動する。【００７３】  タービン駆動発電機４４を回転駆動し、減速した揚水出力９９は、変圧室９０１内に放出し、変圧室９０１内の圧力を高め、上池１の水面を加圧し、防塵窓６５は、濾過した水を変圧室９０１内に帰還し、空気流を外気に排出する。【００７４】  揚水出力９９を変圧室９０１内に放出すると同時に、下部に設けた水流入口開閉弁４３を開放すると、上池１の水面に加わる揚水出力９９の圧力と、水素の燃焼を終結した燃焼室５０に発生する大気圧以下の負圧力との圧力差により、上池１の水は、内側仕切壁９の内部に設けた貯水槽５９に流入し、内側仕切壁９の頂部に設けた開口部６２から水排出口６０内に流入する。【００７５】  揚水装置１０１の上部に揚水装置１００を積層する方式において、変圧室９０１の下部に設けた水流入口開閉弁４３から貯水槽５９に流入する吸引水流の流速が大きいとき、吸引水流を減速し、揚水出力９９の放出エネルギーを有効に回収するために、水流入口開閉弁４３の出力側にタービン駆動発電機１４４を配設し、内側仕切壁９の先端の開口部６２にタービン駆動発電機２４４を配設する。【００７６】  タービン駆動発電機１４４，２４４は、上池１から水流入口開閉弁４３に流入する水流を電力に変換して減速し、燃焼室５０に低速の水流を供給することにより、燃焼室５０内の空気の急冷を抑制し、緩やかに脈動する波を発生することにより水中に圧力エネルギーを蓄積し、燃焼室５０から水排出口６０の方向に帰還する引波に加わる衝撃波を低減する。【００７７】  水流入口開閉弁４３を閉じると、上池１から下池２に流入する水流は止まり、燃焼室５０に到達した水の先端は、下方の下池２内に落下を始め、燃焼室５０が正圧から負圧に変動する。【００７８】  燃焼室５０が正圧から負圧に変化するとき、空気供給調整弁５８を開放し、空気を燃焼室５０内に導入し、水素供給調整弁５７を開放し、水素ガス燃料を導入すると同時に点火器により点火し、水素ガス燃焼エネルギーにより空気を加熱膨張する。【００７９】  水素ガス燃料の燃焼エネルギーは、下池２内の水を全部排出し、水排出口６０内の空間部を空気と置換するだけの過剰なエネルギーを下池２の水面に供給すると、水排出口６０内の高圧空気は、すべて変圧室９０１内に放圧し、揚水出力��９は、変圧室９０１内の空気圧を高める。【００８０】  揚水装置１００が燃焼を休止状態のとき水流入口開閉弁４３を開放し、燃焼室５０が大気圧に対し負の圧力になる状態において、変圧室９０１内の圧力が上昇すると、上池１の水面８５に加わる圧力は、水流入口開閉弁４３を経て貯水槽５９内に上池１の水を押し出し、貯水槽５９の底部の水に加わる圧力は、内側仕切壁９の上部開口部６２の方向に貯水槽５９内の水を押し上げ、上部開口部６２から水路１３に流下する水は、重力の加速力が加わり、下池２に流入し、更に燃焼室５０内に遡上する。【００８１】  下池２に流入する水の速度が速いと、燃焼室５０に衝突し、反射する水の圧力が大きくなり、大きな反射波が下池２の方向に流れ、水流の方向転換時期に同期し、図４に示すバイアス空気圧８６を燃焼室５０に供給し、水排出口６０の方向に流れる水流を加圧し、加速する。【００８２】  このように、下池２と水排出口６０間に揺動する水の波動を利用し、水排出方向に流れる水流を加速し、水素燃料の消費量を節減し、下池２と水排出口６０に蓄積する水を省エネルギーに変圧室９０１内に放出する。【００８３】  揚水装置１００に配設するタービン駆動発電機４４と、揚水装置１０１に配設するタービン駆動発電機４４を並列接続し、揚水装置１００と揚水装置１０１を周期的に交互運転すると、揚水装置１００において水素を燃焼したときに発生する空気と水の混合流によりタービン発電機４４が発生する電力を、水素燃焼休止中の揚水装置１０１のタービン発電機４４に供給し、タービン発電機４４を電動機として運転することにより、電動機としてタービン羽根を回転駆動すると、タービン羽根は、休止中の揚水装置１０１の水排出口６０内の空気を変圧室９０１に送風し、水排出口６０の内部空間を減圧し、大気圧の上池１の水を水排出口６０内に吸引する吸引力を増大する。【００８４】  内側仕切壁９の内部空間に熱交換器５２を配設し、熱交換器５２にバイアス圧力源としての低温・高圧の加圧用空気を流通させ、内側仕切壁９内の貯水槽５９の温度を低温に維持し、大気圧の上池１の水を内側仕切壁９の内部空間内に吸引し易くするとともに、燃焼室５０内に移動すると、燃焼室５０を低温の水により冷却し、燃焼室５０を減圧する。【００８５】  変圧室１５内に熱交換器５３を配設し、熱交換器５２において熱交換し、若干空気温度が上昇したバイアス圧力源としての低温・高圧の加圧用空気を流通させ、変圧室１５に排出する空気と水の混合流体である揚水出力９９と熱交換する。【００８６】  熱交換器５３は、低温の加圧用空気と熱交換し、変圧室１５内に放出する揚水出力９９に含む水蒸気を冷却して復水し、高温空気の温度を低下させることにより減圧し、変圧室１５内と水排出口６０間の圧力差を大きくして、変圧室１５内に放出する揚水出力９９の放出速度を高め、変圧室１５内に異常な高圧力が発生することを抑制し、揚水出力９９の放出速度が減速しないようにする。【００８７】  熱交換器５３が送出する中温・高圧に昇圧した加圧用空気を外部の熱交換器に送出し、工場廃熱、温泉の湯水、ビルや家庭の冷房温排熱などと熱交換し、加圧用空気の温度と圧力を更に高める。【００８８】  燃焼室５０に熱交換器��４を配設し、水素の燃焼エネルギーと熱交換し、温度と圧力を高め、高温・高圧空気供給配管５６を経て燃焼室５０に高温・高圧に昇圧した加圧用空気を送出する。
【実施例４】
【００８９】  本発明の実施例４は、図８に示すように、多数の揚水装置１００を高さ方向と水平方向に多数行列配列し、揚水システム９９９を構成する。【００９０】  揚水装置１００は、上端と下端に配設する変圧室１５内に濾過器１０４を配設し、濾過器１０４は、図５に示すように、水流入口開閉弁４３の上池１から水を吸引する入り口側に配設する。【００９１】  図６の平面図に示すように、濾過器１０４を配設する位置において、外部保護円筒３に濾過器点検窓１０４を開閉可能に配設し、濾過器１０４の濾過紙の交換、薬剤の注入及び点検を可能にする。【００９２】  最下端に配設する揚水装置１８の下端の水吸込口に大きな格子と小さな格子を組合わせた粗大ゴミ除去器３３５を配設し、谷底水源９８から吸引する水に比較的大きな塊の塵埃が混入しないように濾過し、谷底水源９８が海水を含むとき、逆浸透圧などを利用した塩分濾過フィルタを装着する濾過器１０４を配設する。【００９３】  縦配列する多数の揚水装置１００に配設する濾過器１０４は、濾過する目的物質の種類と濾過階級を決定し、下位の揚水装置１００に粗い塵埃を除去する濾過階級を決定し、上位の揚水装置に微細な塵埃を除去する濾過階級を決定する。【００９４】  山頂水源９７の水を飲料水に利用する場合、最上端の揚水装置１９に、飲料水の水質規定に適合する揚水出力９９を送出するための濾過器１０４を配設し、揚水装置１９の揚水出力９９は、傾斜水路２０を経て山頂水源９７に放出し、山頂水源９７に貯水する水は圧力配管３３７に放出し、水力発電所３３８において発電し、谷底水源９８と異なる用途別水源３３６に放出する。【００９５】  工場、ビル、家庭用などに利用する場合、谷底水源９８は、河川、湖沼、地下水流又は井戸などとし、山頂水源９７は、貯水槽とする。【００９６】  揚水システム９９９は、液化水素貯蔵槽２２に貯蔵する液化水素を燃料とし、液体空気貯蔵槽２１に貯蔵する液体空気を加圧源とし、揚水エネルギーとして利用する。【００９７】  熱交換器２４は、純水電気分解槽２３が製造する水素ガスの熱と、液体空気配管２６，液化水素配管２７が供給する液化水素と液体空気の蒸発潜熱を利用し、熱交換し、液化水素と液体空気をガス化して揚水装置１００に供給し、又、製造する水素ガスを液化し、液化水素貯蔵槽２２に貯蔵する。【００９８】  高圧ガス配管網２８は、揚水装置１００に低温の水素ガスと、低温・高圧の空気を供給し、水素ガスを燃焼室において燃焼し、低温・高圧の空気は、揚水装置１００の内部に設けた熱交換器５２，５３，５４において熱交換し、更に外部熱交換器を接続して、外部熱と熱交換することにより、次第に高温・高圧空気に成長し、燃焼室内部に供給することにより、揚水のために消費する水素燃料の消費量を節減する。【００９９】  制御器２９は、有線・光通信経路３０及び無線通信経路３１を経由し、揚水装置１００に接続し、点火器の点火時期を制御して水素ガスを間欠的に燃焼させ、高圧空気の流通量を制御し、タービン駆動発電機の運転特性を監視し、負荷制御など、指令信号を送信する。
【図面の簡単な説明】
【０１００】
【図１】  揚水装置１００の基本機能装置構成を示した動作原理図である。
【図２】  燃焼室５０において、水素燃料燃焼時の動作説明図である。
【図３】  水素燃焼終結時に燃焼室５０に帰還する帰還水頭９６の説明図である。
【図４】  揚水時に燃焼室５０に発生する圧力Ｐの時間変動図である。
【図５】  揚水装置１００の断面構造図である。
【図６】  揚水装置１００を上部から見た平面図である。
【図７】  揚水装置１００と揚水装置１０１を二段構成に積層した断面構造図である。
【図８】  揚水システム９９９の揚水系統構成を説明する揚水動作系統図である。
【符号の説明】
【０１０１】    １  上池
２  下池
３  外部保護円筒
４  円板形下部蓋
５  円板形上部蓋
６  円形開口部
７  放圧開口部
８  圧力容器
９  内側仕切壁
１０  外側仕切壁
１３  水路
１５  変圧室
１８  最下端に配設する揚水装置
１９  最上端揚水装置
２０  傾斜水路
２１  液体空気貯蔵槽
２２  液化水素貯蔵槽
２３  純水電気分解槽
２４  熱交換器
２５  水素ガス配管
２６  液体空気配管
２７  液化水素配管
２８  高圧ガス配管網
２９  制御器
３０  有線・光通信経路
３１  無線通信経路
４０  傾斜壁開口部
４１  溶接部
４２  溶接部
４３  水流入口開閉弁
４４  タービン駆動発電機
４５  水排出方向矢印
４６  水流入方向矢印
４７  外気流出入方向矢印
４８  熱風吐出方向矢印
４９  熱風吐出口
５０  燃焼室
５１  外気流出入口
５２  熱交換器
５３  熱交換器
５４  熱交換器
５５  点火器付き水素供給配管
５６  高温・高圧空気供給配管
５７  水素供給調整弁
５８  空気供給調整弁
５９  貯水槽
６０  水排出口
６１  結合ボルト孔
６２  開口部
６３  開口部
６４  パッキング
６５  防塵窓
７２  逆サイホン室
７３  水面
８４  タービン羽根
８５  水面
８６  バイアス空気圧
８７  水素燃焼圧
８８  冷却負圧
８９  反動正圧
９０  圧力振動波
９１  圧力方向変更点
９２  流下水流
９３  上昇水流
９４  吸出流
９５  帰還流
９６  帰還水頭
９７  山頂水源
９８  谷底水源
９９  揚水出力
１００  揚水装置
１０１  揚水装置
１０２  揚水装置
１０３  等位線
１０４  濾過器
１０５  濾過器点検窓
１４４  タービン駆動発電機
１５４  偏心二重壁構造容器
２４４  タービン駆動発電機
３３３  底部
３３４  上部
３３５  粗大ゴミ除去器
３３６  用途別水源
３３７  圧力配管
３３８  水力発電所
９００  変圧室
９０１  変圧室
９０２  変圧室
９９８  積層揚水装置
９９９  揚水システム
【図１】
2010059948.tif 000003
【図２】
2010059948.tif 000004
【図４】
2010059948.tif 000005
【図５】
2010059948.tif 000006
【図６】
2010059948.tif 000007
【図７】
2010059948.tif 000008
【図８】
2010059948.tif 000009
【手続補正書】
【提出日】平成20年11月19日(2008.11.19)
【手続補正１】
【補正対象書類名】図面
【補正対象項目名】全図
【補正方法】変更
【補正の内容】
【図１】
2010059948.tif 000010
【図２】
2010059948.tif 000011
【図３】
2010059948.tif 000012
【図４】
2010059948.tif 000013
【図５】
2010059948.tif 000014
【図６】
2010059948.tif 000015
【図７】
2010059948.tif 000016
【図８】
2010059948.tif 000017